(57)【特許請求の範囲】
【請求項１】
キャビネットの左右の側板のうち一方の側板に取り付けられたレール取付部材と、該レール取付部材に前後方向に移動自在に支持されるレールと、該レールによって底面が支持されて該レールとともに前後方向に移動自在になっている引出と、を備えるキャビネットにおける引出の取付構造であって、
前記キャビネットの左右の側板の間の内部空間には、該内部空間の一部を占有する占有部が設けられ、該占有部と前記一方の側板の間に引出が配置され、前記引出の左右の側面のうち前記一方の側板側の側面には、前後方向に延設された係合片が設けられるとともに、該係合片が前後方向に移動自在に係合される被係合部が前記一方の側板に設けられ、前記引出は収納箱体を有し、前記収納箱体は前記占有部の側面部の傾斜に沿うような形状をなすとともに、前記収納箱体の傾斜した側の側板は他方の側板よりも高さが低く形成されてなることを特徴とするキャビネットにおける引出の取付構造。
【請求項２】
前記係合片は、前記引出の側面の上部側に配置されることを特徴とする請求項１に記載のキャビネットにおける引出の取付構造。
【請求項３】
前記被係合部は、前記側板の少なくとも前部側に配置されることを特徴とする請求項１または２に記載のキャビネットにおける引出の取付構造。
【請求項４】
前記係合片は略逆Ｌ字形状をなすとともに、前記被係合部は前記係合片と係合する略Ｌ字形状をなしており、前記被係合部の上方に前記係合片が配置されることを特徴とする請求項１ないし３のいずれかに記載のキャビネットにおける引出の取付構造。
【請求項５】
前記被係合部は、回転軸が上下方向に向くローラーを有し、該ローラーが前記引出の側面と前記係合片との間に配置されることを特徴とする請求項４に記載のキャビネットにおける引出の取付構造。
【発明の詳細な説明】
【技術分野】
【０００１】
本発明は、キャビネットの左右の側板のうち一方の側板に取り付けられたレール取付部材と、該レール取付部材に前後方向に移動自在に支持されるレールと、該レールによって底面が支持されて該レールとともに前後方向に移動自在になっている引出と、を備えるキャビネットにおける引出の取付構造に関する。
【背景技術】
【０００２】
従来の調理台は、調理台本体内の調理器の側方空間を引出し収納空間とするとともに、引出し空間の底部と引出の底面との間に配設したレール部材（レール）及び固定レール（レール取付部材）によって、引出が前後方向に摺動可能になっており、かつ引出の調理器側の側壁（側面）には、前後に亙ってガイド溝が形成されるとともに、調理器側の側部（側板）の回転自在なローラーがガイド溝に配設され、このローラーによって、引出のがたつきが抑制されるようになっている（例えば、特許文献１参照）。
【先行技術文献】
【特許文献】
【０００３】
【特許文献１】特開２００５−２３０３６４号公報（第５頁、第１図）
【発明の概要】
【発明が解決しようとする課題】
【０００４】
しかしながら、特許文献１に記載の調理台にあっては、引出し収納空間が調理器側の側部（側板）とその反対側の側部（側板）によって、左右方向の幅が規定されており、かつ調理器側の側部（側板）のローラーによって、引出のがたつきを抑制しているため、引出し収納空間の左右幅に合わせた左右幅を有する引出を形成しなければならず、引出の左右幅を自由に設計変更することができないという問題がある。
【０００５】
本発明は、このような問題点に着目してなされたもので、キャビネットの左右の側板のうち一方の側板に設けられたレールによって前後方向に移動自在に支持される引出において、引出の左右幅を自由に設計変更することができるキャビネットにおける引出の取付構造を提供することを目的とする。
【課題を解決するための手段】
【０００６】
前記課題を解決するために、本発明のキャビネットにおける引出の取付構造は、
キャビネットの左右の側板のうち一方の側板に取り付けられたレール取付部材と、該レール取付部材に前後方向に移動自在に支持されるレールと、該レールによって底面が支持されて該レールとともに前後方向に移動自在になっている引出と、を備えるキャビネットにおける引出の取付構造であって、
前記キャビネットの左右の側板の間の内部空間には、該内部空間の一部を占有する占有部が設けられ、該占有部と前記一方の側板の間に引出が配置され、前記引出の左右の側面のうち前記一方の側板側の側面には、前後方向に延設された係合片が設けられるとともに、該係合片が前後方向に移動自在に係合される被係合部が前記一方の側板に設けられ、前記引出は収納箱体を有し、前記収納箱体は前記占有部の側面部の傾斜に沿うような形状をなすとともに、前記収納箱体の傾斜した側の側板は他方の側板よりも高さが低く形成されてなることを特徴としている。
この特徴によれば、レール取付部材と被係合部が同じ一方の側板に設けられているため、キャビネットの一方の側板のみで引出を取り付けることができ、引出の左右幅を、引出し収納空間の左右幅よりも小さい寸法であれば自由に設計変更することができる。また収納箱体は占有部とぶつからないように構成され、かつキャビネットの内部空間に占有部があっても、この占有部に引出を取り付けるための部材等を別途取り付ける必要がなく、占有部と側板の間の内部空間を有効に利用できる。
【０００７】
本発明のキャビネットにおける引出の取付構造は、
前記係合片は、前記引出の側面の上部側に配置されることを特徴としている。
この特徴によれば、引出は、その底面がレールに支持されており、レールから離れた引出の上部側ががたつきやすくなっているが、引出は、その側面の上部側に配置された係合片によって支持されるようになり、引出の上部側を安定させた状態で引出を前後方向に移動させることができる。
【０００８】
本発明のキャビネットにおける引出の取付構造は、
前記被係合部は、前記側板の少なくとも前部側に配置されることを特徴としている。
この特徴によれば、被係合部を側板の少なくとも前部側に配置すれば、引出が閉鎖されている時と引出が開放されている時との両方で、被係合部と係合片との係合が維持されるようになり、被係合部を設ける範囲を限定し、被係合部の設置範囲や設置数を低減させることができる。
【０００９】
本発明のキャビネットにおける引出の取付構造は、
前記係合片は略逆Ｌ字形状をなすとともに、前記被係合部は前記係合片と係合する略Ｌ字形状をなしており、前記被係合部の上方に前記係合片が配置されることを特徴としている。
この特徴によれば、係合片と被係合部とがシンプルな形状となるため成形し易くなるとともに、キャビネットの側板に取り付けられたレールに対して上方側から引出を取り付ける際に、逆Ｌ字状をなす係合片がＬ字状をなす被係合部に上方側から係合され易くなっており、引出を簡単に取り付けることができる。
【００１０】
本発明のキャビネットにおける引出の取付構造は、
前記被係合部は、回転軸が上下方向に向くローラーを有し、該ローラーが前記引出の側面と前記係合片との間に配置されることを特徴としている。
この特徴によれば、引出を前後方向に移動して、引出が左右方向にがたついた際に、回転軸が上下方向に向くローラーの外周面が、引出の側面または係合片のいずれかに当たるようになり、このローラーによって被係合部と引出の側面または係合片との間の摩擦抵抗が低減され、引出の前後方向の移動をスムーズに行うことができる。
【図面の簡単な説明】
【００１２】
【図１】実施例における小引出が設けられた洗面台を示す斜視図である。
【図２】小引出の取付構造を示す縦断正面図である。
【図３】小引出が閉鎖された状態を示す横断平面図である。
【図４】小引出が開放された状態を示す横断平面図である。
【発明を実施するための形態】
【００１３】
本発明に係るキャビネットにおける引出の取付構造を実施するための形態を実施例に基づいて以下に説明する。
【実施例】
【００１４】
実施例に係るキャビネットにおける引出の取付構造につき、図１から図４を参照して説明する。以下、図３及び図４の紙面下側を洗面台の正面側（前方側）として説明する。尚、本実施例では、小引出がキャビネットの右側板に取り付く場合を例示して説明するが、小引出がキャビネットの左側板に取り付く場合は左右対称となるだけで作用効果等同じであるので説明は省略する。
【００１５】
図１の符号１は、本発明におけるキャビネットとしての洗面台である。洗面台１には、上部に天板２が設けられており、天板２には、使用者の手や顔等を洗うのに使用する本発明における占有部としてのシンク３が設けられている。
【００１６】
図１に示すように、シンク３の下方には、洗面用具等を収納しておくための上下２段の引出４が設けられている。上段側の引出４の前面板５は、引出４の左右の側板６，７よりも上下幅が大きくなっており、下段側の引出４は、上段側の引出４と略同一の構成になっている。洗面台１の左右側方には、床から立設する側板８，９が設けられており、この左右の側板８，９の間が本発明における内部空間としての収納空間１０となっており、この収納空間１０に引出４が設けられている。
【００１７】
また、上段側の引出４の上方には、この引出４よりも左右幅及び上下幅が小さい小引出１１が設けられており、引出４は、小引出１１と独立して前後方向に移動可能になっている。
【００１８】
図２及び図３に示すように、小引出１１は、収納箱体１２を有し、収納箱体１２の内部は、例えば、ドライヤー１３等の小物を収納できる収納部１４となっている。収納箱体１２は、前方側の前面板１５と、左右の側板１６，１７と、背面側の背面板１８と、底板１９とからなっている。また、収納箱体１２の前部には、例えば、コンセントタップ２０が設けられており、収納部１４に収納されたドライヤー１３等の電化製品のプラグを挿して通電できるようになっている。
【００１９】
図２に示すように、洗面台１の右側板９（一方の側板）の内側面には、後述するレール２１を小引出１１に取り付けるためのレール取付部材２２がネジ２３によって取り付けられており、レール取付部材２２は前後方向に延設されている。レール取付部材２２は、洗面台１の内部側に向かって延びており、レール取付部材２２の左端部にはレール２１が取り付けられ、このレール２１は、レール取付部材２２によって前後方向に移動自在に支持されている。尚、レール取付部材２２は、引出４の右側板７よりも高い位置に取り付けられている。
【００２０】
また、レール２１の背面側には、小引出１１の後部を引掛けるための引掛部材２４が設けられており、この引掛部材２４を収納箱体１２の背面板１８の外側に取り付けられた支持部材２５に引掛けるようにする（図２及び図３参照）。
【００２１】
レール２１の前方に設けられた嵌合部材３５と、収納箱体１２の底板１９の底面部とが接しており、小引出１１は、レール２１、引掛部材２４及び嵌合部材３５によって支持されている。また、小引出１１は、レール２１とともに前後方向に移動自在になっている。
【００２２】
収納箱体１２の右側板１７の上部側には、外方に突出する突出部２６が設けられており、この突出部２６に正面視で逆Ｌ字状をなす係合片２７がネジ２８で取り付けられている。この係合片２７は、収納箱体１２の右側板１７の前部側から後部側まで前後方向に延設されている。
【００２３】
洗面台１の右側板９の前部側の内側面には、被係合部２９がネジ３０で取り付けられている。被係合部２９は、係合片２７の下方位置に配置され、係合片２７は、被係合部２９に前後方向に移動自在に係合される（図３参照）。
【００２４】
被係合部２９は、回転軸３４が上下方向を向くローラー３１と、このローラー３１が取り付けられるローラー取付部材３２を有している。ローラー取付部材３２は、正面視でＬ字状をなしており、係合片２７は、ローラー取付部材３２の上方から係合するように配置されている。また、ローラー３１は、ローラー取付部材３２に取り付けられて、収納箱体１２の右側板１７と係合片２７との間に配置されている。
【００２５】
係合片２７及びローラー取付部材３２は、シンプルな形状をなすため成形しやすくなっている。また、洗面台１の組立時において、洗面台１の右側板９に取り付けられたレール取付部材２２に支持されるレール２１に対して上方側から小引出１１を取り付ける際に、逆Ｌ字状をなす係合片２７がＬ字状をなすローラー取付部材３２に上方側から係合されやすくなっており、小引出１１を簡単に取り付けることができる。また、メンテナンスを行う際にも、小引出１１を簡単に取り外すことができる。
【００２６】
また、小引出１１は、収納箱体１２の底板１９に取り付けられたレール２１によって支持されるとともに、収納箱体１２の右側板１７の上部の係合片２７が被係合部２９によって支持され、これら離れた２つの位置で支持されているため、小引出１１は安定して支持される。
【００２７】
小引出１１は、洗面台１の右側板９とシンク３との間に配置され、収納箱体１２の前面板１５や背面板１８やコンセントタップ２０は、シンク３の側面部の傾斜と沿うような形状をなし、収納箱体１２の左側板１６は、右側板１７よりも高さが低く形成されているため、シンク３とぶつからないようになっている。
【００２８】
小引出１１は、洗面台１の右側板９のみで取付が可能であるため、洗面台１の収納空間１０にシンク３があっても、小引出１１を取り付けるための部材等をシンク３との間に取り付ける必要がなく、シンク３と洗面台１の右側板９の間の収納空間１０を有効に利用できるとともに、洗面台１の右側板９に対して、小引出１１を取り付ける高さを自由に決めることができる。
【００２９】
図３に示すように、引出４が閉鎖された状態において、係合片２７は、その前部側が被係合部２９に係合されるようになっている。尚、引出４の前面板５と小引出１１の前面板１５は近接している。また、小引出１１の前面板１５の上端の位置は、引出４の前面板５の上端の位置よりも低くなるように配置されており（図１参照）、引出４が閉鎖しているときには、小引出１１も閉鎖している状態となる。
【００３０】
使用者が引出４の前面板５に設けられた把手部３３を手前に引くと、引出４が前方側に移動される。引出４は、小引出１１と独立して前後方向に移動可能であるため、引出４を引き出した際には、引出４のみが前方側に移動される。引出４が前方側に移動されると、小引出１１を引き出すことができるようになる。
【００３１】
図４に示すように、使用者が小引出１１を前方に引き出すと、小引出１１は、レール２１とともに前方に移動され、小引出１１内のドライヤー１３を取り出すことができるようになる。小引出１１の左側板１６には、小引出１１を取り付けるための取付部材等が配置されていないため、上段の引出４内における小引出１１の近傍に収納された洗面用具等を使用者が取り出す際に、取付部材等に妨げられることなく容易に取り出すことができる。
【００３２】
小引出１１が開放されると、収納箱体１２の右側板１７に取り付けられた係合片２７も前方側に移動し、係合片２７は、その後部側が被係合部２９に係合されるようになっている。尚、被係合部２９は、洗面台１の右側板９の前部側に配置されているため、小引出１１が開放された際にも、被係合部２９と係合片２７との係合が維持されている。
【００３３】
また、収納箱体１２の右側板１７と係合片２７との間にはローラー３１が配置されているため、小引出１１が前方側に移動して小引出１１が左右方向にがたついた際には、ローラー３１の外周面が収納箱体１２の右側板１７または係合片２７のいずれかに当たる。このローラー３１によって、ローラー取付部材３２と収納箱体１２の右側板１７または係合片２７との間の摩擦抵抗が低減され、小引出１１の移動がスムーズに行われる。
【００３４】
使用者が小引出１１を後方側に押すと、小引出１１は、レール２１とともに後方側に移動され、洗面台１の収納空間１０に収納される。小引出１１が閉鎖されても、引出４は開放されたままになっており、使用者が引出４を後方側に押すと、引出４が後方側に移動されて、閉鎖される。
【００３５】
以上、本実施例におけるキャビネット（洗面台１）における引出の取付構造では、小引出１１の左右の側板１６，１７のうち洗面台１の一方の右側板９側の右側板１７には、前後方向に延設された係合片２７が設けられるとともに、係合片２７が前後方向に移動自在に係合される被係合部２９が洗面台１の一方の右側板９に設けられることで、洗面台１の一方の右側板９のみで小引出１１を取り付けることができ、小引出１１の左右幅を、引出し収納空間１０の左右幅よりも小さい寸法であれば自由に設計変更することができる。
【００３６】
また、係合片２７は、小引出１１の右側板１７の上部側に配置されることで、小引出１１は、その底板１９がレール２１に支持されており、レール２１から離れた小引出１１の上部側ががたつきやすくなっているが、小引出１１は、その右側板１７の上部側に配置された係合片２７によって支持されるようになり、小引出１１の上部側を安定させた状態で小引出１１を前後方向に移動させることができる。
【００３７】
また、被係合部２９は、洗面台１の右側板９の少なくとも前部側に配置されることで、小引出１１が閉鎖されている時と小引出１１が開放されている時との両方で、被係合部２９と係合片２７との係合が維持されるようになり、被係合部２９を設ける範囲を限定し、被係合部２９の設置範囲や設置数を低減させることができる。
【００３８】
また、係合片２７は略逆Ｌ字形状をなすとともに、被係合部２９は係合片２７と係合する略Ｌ字形状をなしており、被係合部２９の上方に係合片２７が配置されることで、係合片２７と被係合部２９とがシンプルな形状となるため成形し易くなるとともに、洗面台１の右側板９に取り付けられたレール取付部材２２に支持されるレール２１に対して上方側から小引出１１を取り付ける際に、逆Ｌ字状をなす係合片２７がＬ字状をなす被係合部２９に上方側から係合され易くなっており、小引出１１を簡単に取り付けることができる。
【００３９】
また、被係合部２９は、回転軸３４が上下方向に向くローラー３１を有し、ローラー３１が小引出１１の右側板１７と係合片２７との間に配置されることで、小引出１１を前後方向に移動する際に、小引出１１が左右方向にがたついた際に、回転軸３４が上下方向に向くローラー３１の外周面が、小引出１１の右側板１７または係合片２７のいずれかに当たるようになり、このローラー３１によって被係合部２９と小引出１１の右側板１７または係合片２７との間の摩擦抵抗が低減され、小引出１１の前後方向の移動をスムーズに行うことができる。
【００４０】
また、洗面台１の左右の側板８，９の間の収納空間１０には、収納空間１０の一部を占有するシンク３が設けられ、シンク３と洗面台１の一方の右側板９の間に小引出１１が配置されることで、小引出１１は一方の右側板１７のみで取り付けが可能であるため、洗面台１の収納空間１０にシンク３があっても、このシンク３との間に小引出１１を取り付けるための部材等を別途取り付ける必要がなく、シンク３と右側板１７の間の収納空間１０を有効に利用できる。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、前記実施例では、洗面台１を本発明のキャビネットとし、この洗面台１に本発明の取付構造を用いて小引出１１を取り付けるようにしているが、本発明のキャビネットは、洗面台１に限らず、キッチン等に設置される調理台やガスキャビネット等に本発明の取付構造を用いて小引出１１を取り付けるようにしてもよいし、調理台以外にも机やタンス等に本発明の取付構造を用いて小引出１１を取り付けるようにしてもよい。
【００４３】
また、前記実施例では、小引出１１は、引出４の前面板５よりも奥側に配置されており、引出４が開放されないと小引出１１が開放できないようになっているが、小引出１１を、その前面板１５が洗面台１の前方側に露呈するように配置して、小引出１１をその他の引出４と独立して開閉できるようにしてもよい。
【００４４】
また、前記実施例では、洗面台１に設けられたシンク３を本発明の占有部とし、このシンク３と洗面台１の右側板９の間に小引出１１を取り付けるようにしているが、前述したとおり、本発明のキャビネットは洗面台１に限らないため、例えば調理台における占有部は調理器等であり、その他内部空間を占有するものであれば本発明の占有部に含まれる。
【００４５】
また、前記実施例では、係合片２７は略逆Ｌ字形状をなすとともに、被係合部２９はローラ３１を配し洗面台１の右側板９の少なくとも前部側に配置されるとしたが、小引出し１１の後部に回転軸３４が上下方向に向くローラー３１を配し、右側板９側に略コ字形状の開放側が上に向いた係合片を前後方向へ配してもよい。但し小引出し１１を取付ける際にはローラー３１を視認できるため、位置合わせがしやすいので実施例のほうが望ましい。
【００４６】
また、前記実施例では、係合片２７は略逆Ｌ字形状をなすとともに、被係合部２９はローラ３１を配し洗面台１の右側板９の少なくとも前部側に配置されるとしたが、小引出し１１の後部に回転軸３４が上下方向に向くローラー３１を配し、右側板９側に略Ｚ字形状の突辺を下方に向け右側板９に当接させ、他の突辺を上方にむけた係合片を前後方向へ配してもよい。但し小引出し１１を取付ける際にはローラー３１を視認できるため、位置合わせがしやすいので実施例のほうが望ましい。
【００４７】
また、前記実施例では、係合片２７はネジ２８で取り付けられているとしたが、係合片２７を小引出し１１に一体的に形成しても良い。
【符号の説明】
【００４８】
１                洗面台（キャビネット）
３                シンク（占有部）
４                引出
６，７            側板
８，９            側板（側板）
１０              収納空間（内部空間）
１１              小引出（引出）
１６，１７        側板（側面）
１９              底板
２１              レール
２２              レール取付部材
２７              係合片
２９              被係合部
３１              ローラー（被係合部）
３２              ローラー取付部材（被係合部）
３４              回転軸
【図１】
0005575433.tif 000002
【図２】
0005575433.tif 000003
【図３】
0005575433.tif 000004
【図４】
0005575433.tif 000005